(57)【要約】【課題】少なくとも１つのピンチ弁が、流動性媒体の分配制御及び流量制御に関し、管路系において更に多用途な機能を備えた飲料調製装置を提供する。【解決手段】飲料調製装置は少なくとも１つのピンチ弁１を管路系に有し、ピンチ弁１は少なくとも２つの流体通過ライン２０，２１を有し、弁機能及び／又は制御機能を流体通過ライン２０，２１上で実行するように設計する。ピンチ弁１の動作機構は弁機能及び／又は制御機能の連動した起動のために設定され、ステッピング・モータ２５を用いた駆動が行われる。【選択図】図１
2010512199.tif 000002
【特許請求の範囲】
【請求項１】
管路系に少なくとも１つのピンチ弁（１）を含む飲料調製装置であって、
前記ピンチ弁（１）が少なくとも２つの流体通過ライン（２０、２１）を囲んで、弁機能及び／又は制御機能を前記流体通過ライン（２０、２１）上で実行するように設計されることを特徴とする飲料調製装置。
【請求項２】
前記２つの流体通過ライン（２０、２１）の前記弁機能及び／又は制御機能の連動した起動のために、前記ピンチ弁（１）が起動機構を含む、請求項１に記載の飲料調製装置。
【請求項３】
前記弁機能及び／又は制御機能の前記連動した起動が、切替機能又は少なくとも反対方向の絞り機能を有する、請求項２に記載の飲料調製装置。
【請求項４】
直線起動機構が存在する、請求項２又は３に記載の飲料調製装置。
【請求項５】
前記直線起動機構が直線ステッピング・モータ・ドライブである、請求項４に記載の飲料調製装置。
【請求項６】
回転起動機構が存在する、請求項２又は３に記載の飲料調製装置。
【請求項７】
前記起動機構が、回転ステッピング・モータ・ドライブを含む偏心起動機構である、請求項６に記載の飲料調製装置。
【発明の詳細な説明】
【技術分野】
【０００１】
本発明は、管路系に少なくとも１つのピンチ弁を含む飲料調製装置に関する。
【背景技術】
【０００２】
本発明は、特に上記の型の飲料調製装置、例えば、液体成分又は流体成分が異なる排出口へ切り替えられなければならないコーヒーマシン又はエスプレッソマシンに関し、例えば、ラテのような２つの異なる液体成分を含む飲料を調製するために特に適している。
【０００３】
従って、異なる供給位置において２つの異なる排出口を介してコーヒー又はカプチーノの供給がその都度実行されるエスプレッソマシンのモデルが存在する。ここでは、コーヒーのための供給経路の切り替えが要求される。
【０００４】
ラテの調製の場合、２つの液体成分はコーヒー及びミルクであり、コーヒー及びミルクは、異なるソース又は容器から単一の又は異なる排出口へその都度供給される。ここでは、供給ラインの側又は配送ラインの側での切り替えが必要である。
【０００５】
このために、適切な弁機能及び／又は制御機能を含む切替部材が、飲料調製装置の管路系に存在しなければならない。
【０００６】
用語「弁機能及び／又は制御機能」は、以下において次の意味で使用される。
・弁機能は、流体通過がオン・オフされるか又は切り替えられるかに対応する機能と理解される。
・制御機能は、流体流量が制御された方法で減少するか増加するかに対応する機能と理解され、弁機能も明らかに含み得る。
【０００７】
飲料調製装置の既知の切替部材は、非常に頻繁に使用される電磁弁である。しかし、電磁弁は多くの短所を有し、好ましくないかもしれない。それらは重くて高価であり、また一般に比較的汚れやすく、更に少なくとも１つの動作位置で常に通電されなければならず、電磁石の加熱の増加も招く。
【０００８】
ピンチ弁自体は既知である。場合によっては、非常に汚れにくいという理由から、ピンチ弁が好ましいこともある。なぜならば、ピンチ弁に誘導される液状媒体は弁機構と接触しないからである。従って、ピンチ弁も殆どの異なる流動性媒体に対して適切であり、特に、流量の制御に適切である。
【発明の概要】
【発明が解決しようとする課題】
【０００９】
従って、本発明の目的は、改良された飲料調製装置を特定することであり、少なくとも１つのピンチ弁が、流動性媒体の分配制御及び流量制御に関し、管路系において更に多用途な機能を提供する。
【課題を解決するための手段】
【００１０】
この目的は、特許請求の範囲に記載された特徴によって達成される。
【００１１】
問題を解決するための手段は、飲料調製装置の管路系に配置された少なくとも１つのピンチ弁が少なくとも２つの流体通過ラインを囲むことにあり、弁機能及び／又は制御機能を流体通過ライン上で実行するように設計される。
【００１２】
ピンチ弁の使用により、ピンチ弁の利点が飲料調製装置へ最初に転用される。飲料調製装置は、更に単純で費用効率の高い方法で製造できる。ピンチ弁は非常に汚れにくく、従って（以下で言及する）更に衛生的な起動機構も考えられ、この機構は切り替えの間又は機械的調整の間だけ電力を使用する。
【００１３】
少なくとも２つの流体通過ラインを有する設計により、連成弁及び制御機能が実現できる。
【００１４】
好都合なことに、そのことによって起動機構は、２つの流体通過ラインの弁機能及び／又は制御機能の連動した起動を提示する。流体経路のオン・オフ、及び切り替え操作に応じて、要求に従って適量に分けられた流体通過量を制御できる。そのことによって、流体通過量制御は同じ方向（２つの流体通過ラインが同時に開閉される）又は反対方向（流体通過ラインの一方が開かれ、他方が閉じられる）に提供できる。
【００１５】
提供される手段によって実現される切替機能（反対方向の流体通過量の制御）も、（２つの流体通過ラインにおける）反対方向の絞り機能と考えることができる。従って、流体流は、連続的に増加する範囲へオンにするだけでなく、連続的に減少する範囲へオフにすることもできるが、反対方向へ連続的に変化するように切り替えることもできる。
【００１６】
ステッピング・モータ・ドライブを含む直線動作起動機構又は回転動作起動機構の何れかが、好ましい実施形態で使用される。直線動作起動機構に対して、好都合なことに起動機構は１又は複数のピンチ・ウェッジを含む。回転動作起動機構に対して、好都合なことに起動機構は少なくとも１つの偏心ディスクを含む。
【００１７】
小さな寸法にもかかわらず、ステッピング・モータの使用は起動力を増加させることを可能にし、起動力は電磁石と比較して大きい。このことは、スペース及びコストの節約をもたらす。より長いスイッチング移動距離が実現でき、そのことによって更に大きな管断面が使用でき、その結果として、流体の利点を達成できる。その上、自動ロックのおかげで、ピンチ位置においてさえも、適切な定評あるステッピング・モータを、通電していない状態でも保持できる。従って、流体流は、限定されない期間に対して切り替えられたままであることができる。
【００１８】
全体的に、本発明による型の弁は、コーヒーの切り替えのためだけでなく、例えば、水、蒸気、又はミルクのような他の流動性媒体のためにも使用できる。
【００１９】
本発明は、図面によって以下で更に詳細に記載される。
【図面の簡単な説明】
【００２０】
【図１】本発明に係るピンチ弁を含む管路系を有するコーヒーマシンの実施形態の略図である。
【図２ａ】２つの流体通過ライン及び切替位置Ｘにある直線起動機構を含む、本発明に係るピンチ弁である。
【図２ｂ】２つの流体通過ライン及び切替位置Ｙにある直線起動機構を含む、本発明に係るピンチ弁である。
【図２ｃ】２つの流体通過ライン及び切替位置Ｚにある直線起動機構を含む、本発明に係るピンチ弁である。
【図３ａ】２つの流体通過ライン及び切替位置Ｘにある偏心起動機構を含む、ピンチ弁の他の実施形態である。
【図３ｂ】２つの流体通過ライン及び切替位置Ｙにある偏心起動機構を含む、ピンチ弁の他の実施形態である。
【図３ｃ】２つの流体通過ライン及び切替位置Ｚにある偏心起動機構を含む、ピンチ弁の他の実施形態である。
【図４】切替機能及び共通注入口を有する、図２によるピンチ弁の詳細図である。
【図５ａ】図４によるピンチ弁と別の構造を備え、圧力スプリング及び独立した流体通過ラインを含む、変形Ｂである。
【図５ｂ】図４によるピンチ弁と別の構造を備え、圧力スプリングが無い、変形Ｃである。
【図５ｃ】図４によるピンチ弁と別の構造を備え、圧力スプリング及び複数の流体通過ラインを含む、変形Ｄである。
【発明を実施するための形態】
【００２１】
図１は、本発明によるピンチ弁１を含む管路系を有するコーヒーマシンの実施形態の略図である。この態様では、コーヒー又はカプチーノの供給は異なる排出口２，３の各々を介して異なる供給位置４，５で実行される。従って、飲料タイプ（コーヒー又はカプチーノ）の選択に応じて、コーヒーのための供給経路の切り替えが必要である。
【００２２】
水タンク６によりポンプ７を介して給水される瞬間湯沸器８は、コーヒーを調製するための抽出ユニット９に湯を供給する。コーヒーのための供給経路の切り替えは、ピンチ弁１を用いて実行される。カプチーノが調製されるとき、コーヒーが供給された後にミルク泡立器１０によってミルク泡を調製するために、瞬間湯沸器も蒸気を発生するために使用される。
【００２３】
図２ａ〜図２ｃは、２つの流体通過ライン２０，２１及び３つの切替位置（Ｘ，Ｙ，Ｚ）にある直線起動機構を含む本発明に係るピンチ弁１を示す。流体通過ライン２０，２１が弁チューブとして実施され、その注入口／排出口はａ及びｃ、又はｂ及びｄで各々識別される。弁切替スイッチ２２に取り付けられたピンチ・ウェッジ２３，２４が、流体通過ライン２０，２１の両側に配置される。弁切替スイッチ２２は、リニアモータ２５によって直線移動できる。流体通過ライン２０，２１の何れか一方が挟んで閉じられ、従って弁切替スイッチ２２の直線移動のためにピンチ・ウェッジ２３，２４によって閉じることができる。図２ａ（切替位置Ｘ／流体通過ライン２０がブロックされる）及び図２ｂ（切替位置Ｙ／流体通過ライン２１がブロックされる）を参照のこと。尚、図２ｃは、流体通過ライン２０も流体通過ライン２１も完全にはブロックされない中央位置（切替位置Ｚ）を示す。ここで図示される、ピンチ・ウェッジ２３，２４の反対方向による閉鎖機構の組み合わせのために、ピンチ弁１は流体流を切り替えるか又は転換するかするために各々使用できる。この用途は図４に詳細に記載され、図１による略図の根拠を形成する。
【００２４】
図３ａ〜図３ｃは、２つの流体通過ライン２０，２１及び３つの切替位置（Ｘ，Ｙ，Ｚ）にある偏心起動機構を含むピンチ弁の他の実施形態を示す。流体通過ライン２０，２１は弁チューブとして実施され、その注入口／排出口（図２に対応）はａ及びｃ、又はｂ及びｄで各々識別される。駆動軸２７を介して他のステッピング・モータ２８により作動させられる偏心ディスク２６が、流体通過ライン２０，２１の間に配置される。流体通過ライン２０，２１の何れか一方が挟んで閉じられ、従って駆動軸２７の周りで回転する偏心ディスク２６によって閉じることができる。図２ａ（切替位置Ｘ／流体通過ライン２１がブロックされる）及び図２ｂ（切替位置Ｙ／流体通過ライン２０がブロックされる）を参照のこと。尚、図３ｃは、流体通過ライン２０も流体通過ライン２１も完全にはブロックされない中央位置（切替位置Ｚ）を示す。ここで図示される、偏心ディスク２６による反対方向の閉鎖機構組み合わせのために、ピンチ弁１は流体流を切り替えるか又は転換するかするために各々使用できる。流体通過ライン２０，２１及び偏心ディスク２６は、適切に設計された弁ハウジング２９の中に配置される。尚、ステッピング・モータ２８を制御するための制御部３０への必要な接続も、ここで図示される。
【００２５】
図２〜図３による切替位置Ｚも、弁チューブ（流体通過ライン）を支援するのに適切である。これは、ピンチ弁１又はその様なピンチ弁を含むが動作中ではない飲料調製装置を長い期間、保管する際に有利であり得る。図４は、切替機能及び共通注入口Ｚを有する、図２によるピンチ弁１を詳細に示す。重要な構成要素のいくつかは、図２に関する記載で既に提示されている。従って、以下の実施形態は追加的な特徴を有する。
【００２６】
ステッピング・モータ２５は、ステッピング・モータ・フランジ３１を介して弁ハウジング３２に接続される。中間ボルト３３が差し込まれ、弁ハウジング３２で固定される。弁切替スイッチ２２は、弁ハウジング３２の中で直線的に軸方向へ移動できる。弁ハウジング３２の中の半径方向グレーディングが、弁切替スイッチ止３４を形成する。流体通過ライン２１に対する圧縮動作又は挟み動作は、弁切替スイッチ止３４及び中間ボルト３３によって各々定めることができる（この場合、弁チューブを挟む動作は、ピンチ・ウェッジ２３と中間ボルト３３の間で行われる）。制御部３０に接続するステッピング・モータ２５の対応する動作によって、リフティング・ロッド３５は直線的に軸方向へ移動できる。リフティング・ロッド３５は、弁切替スイッチ２２の配置に応答して軸方向動作を伝達する。（ここに図示されるような）ホームポジションでは、ｂ−ｄ方向に流体通過ライン２０を通過することは、圧力スプリング３６のリセット力及びピンチ・ウェッジ２４によって阻止される。端部位地（図示されない）に達するために、ピンチ・ウェッジ２３，２４が取り付けられた弁切替スイッチ２２、及びリフティング・ロッド３５は、ステッピング・モータ２５によって軸方向（右）への圧力スプリング３６の力に逆らって配置されなければならず、流体通過ライン２１はａ−ｃ方向へは徐々に閉じられ、流体通過ライン２０はｂ−ｄ方向へ開かれる。この実施形態では、流体通過ライン２１，２０の注入口ａ，ｂは分配接続３７に接続される。注入口Ｚに対する配送ホース３８は、分配接続３７に固定できる。
【００２７】
最後に、図５ａ〜図５ｃは、図４による基本設計Ａのピンチ弁の異なる変形を示す。図５ａは、圧力スプリング及び独立した流体通過ラインを含む変形Ｂである。図５ｂは、圧力スプリングが無い変形Ｃである。図５Ｄは、圧力スプリング及び複数の流体通過ラインを含む変形Ｄである。
【００２８】
図４による基本設計Ａでは、分配接続３７を注入口側又は排出口側に配置できる。
【００２９】
図５ａによる設計（変形Ｂ）では、流体通過ライン２０，２１が独立して誘導される。２つの流体通過ラインにおけるロック機能の結合が、まだ存在する（ロック機能又は開機能が各々同時に行われるが、経路切替は行われない）。
【００３０】
図５ｂによる設計（変形Ｃ）では、ピンチ弁１が圧力スプリング３６無しで開かれる。このために、リフティング・ロッド３５が弁切替スイッチ２２にしっかと接続される。各位置において通電していない状態で保持できるステッピング・モータ・ドライブが存在するために、より少ない構成要素から成るこの変形が考え得る。しかし、圧力スプリングによって高められたプレストレスは、圧力スプリングを含む設計の初期機構状態を達成するために使用できる。
【００３１】
図５ｃによる設計（変形Ｄ）では、ピンチ弁１が複数の流体通過ラインを囲み、モジュール式に拡張できる。現在の２つの流体通過ライン２０，２１に加えて、この実施形態は流体通過ライン３９、ピンチ・ウェッジ４０、及び中間ボルト４１を更に囲む。従って、（図示された仮定の停止状態に作用するという条件で）２つの「閉通路」及び１つの「開通路」がここでは存在する。他の切り替えの組み合わせがモジュール式拡張によって実現できることは、言うまでもない。
【符号の説明】
【００３２】
１      ピンチ弁
２，３      排出口
４，５      供給位置
６      水タンク
７      ポンプ
８      瞬間湯沸器
９      抽出ユニット
１０      ミルク泡立器
２０，２１      流体通過ライン
２２      弁切替スイッチ
２３，２４      ピンチ・ウェッジ
２５，２８      ステッピング・モータ
２６      偏心ディスク
２７      駆動軸
２８      ステッピング・モータ
２９      弁ハウジング
３０      制御部
３１      ステッピング・モータ・フランジ
３２      弁ハウジング
３３      中間ボルト
３４      弁切替スイッチ止
３５      リフティング・ロッド
３６      圧力スプリング
３７      分配接続
３８      配送ホース
３９      流体通過ライン
【図１】
2010512199.tif 000003
【図２ａ】
2010512199.tif 000004
【図２ｂ】
2010512199.tif 000005
【図２ｃ】
2010512199.tif 000006
【図３ａ】
2010512199.tif 000007
【図３ｂ】
2010512199.tif 000008
【図３ｃ】
2010512199.tif 000009
【図４】
2010512199.tif 000010
【図５ａ】
2010512199.tif 000011
【図５ｂ】
2010512199.tif 000012
【図５ｃ】
2010512199.tif 000013
【手続補正書】
【提出日】平成20年10月7日(2008.10.7)
【手続補正１】
【補正対象書類名】特許請求の範囲
【補正対象項目名】全文
【補正方法】変更
【補正の内容】
【特許請求の範囲】
【請求項１】
管路系に少なくとも１つのピンチ弁（１）を含み、前記ピンチ弁（１）が少なくとも２つの流体通過ライン（２０，２１）を囲んで、弁機能及び／又は制御機能を前記流体通過ライン（２０，２１）上で実行するように設計された飲料調製装置であって、前記ピンチ弁（１）が前記流体通過ライン（２０，２１）の前記弁機能及び／又は制御機能の直線起動機構を含み、少なくとも１つの流体通過ライン（２０，２１）が開かれ、一方少なくとも１つの他の流体通過ライン（２０，２１）が同時に閉じられるように、前記直線起動機構が前記流体通過ライン（２０，２１）の連動した起動に適することを特徴とする飲料調製装置。
【請求項２】
前記弁機能及び／又は制御機能の連動した起動が、反対方向への切替機能又は少なくとも絞り機能を有する、請求項１に記載の飲料調製装置。
【請求項３】
前記直線起動機構がステッピング・モータ・ドライブである、請求項１又は２に記載の飲料調製装置。
【国際調査報告】
2010512199.tif 000014
2010512199.tif 000015
2010512199.tif 000016
2010512199.tif 000017
2010512199.tif 000018
2010512199.tif 000019